(57)【要約】本発明は化粧品などの品物用の陳列台に関する。本発明の陳列台は、裏面（４）と前面（５）を含む垂直板（１）からなる。本発明によると、前面は、複数の第１のパネル（７）と、第１のパネル（７）に対して傾いている複数の第２のパネル（８）とによって、少なくとも部分的に形成されており、前記第１のパネル（７）は品物（１０）を受けるように構成されている。さらに、第２のパネル（８）のうちの少なくとも１つは、対向する第１のパネル（７）上に置かれた品物の像を、垂直板（１）の方を向いている人が第２のパネル（８）上に見ることができるように、反射面（８ａ）を備えている。
2007536949.tif 000002
【特許請求の範囲】
【請求項１】
化粧品などの品物用の陳列台において、
複数の第１のパネル（７）と該第１のパネル（７）に対して傾いている複数の第２のパネル（８）とによって少なくとも部分的に形成された前面（５）と、裏面（４）とを有する垂直板（１）を含み、前記第１および第２のパネル（７，８）は前記垂直板（１）と一体的に作られており、
前記各第１のパネル（７）は２つの前記第２のパネル（８）の間に位置し、前記各第２のパネル（８）は２つの前記第１のパネル（７）の間に位置し、それによって、実質的に尾根状の起伏部を形成しており、
前記第１のパネル（７）は前記品物（１０）を収容するように構成されており、前記第１のパネルの１つと対向して配置された前記第２のパネル（８）の少なくとも１つは、前記垂直板（１）の方を向いている人が、直接、前記品物を見ることができるように、あるいは、当該第２のパネル（８）上に、対向して配置された前記第１のパネル（７）にて反射された前記品物の像を間接的に見ることができるように、反射面（８ａ）を有している、
ことを特徴とする陳列台。
【請求項２】
前記第２のパネル（８）はそれぞれ前記反射面（８ａ）を有している、請求項１に記載の陳列台。
【請求項３】
前記第１および第２のパネル（７，８）は前記垂直板（１）の前記前面（５）の全幅に亘って延びている、請求項１または２に記載の陳列台。
【請求項４】
前記各反射面（８ａ）は、対応する前記第２のパネル（８）に直接取り付けられている平らな鏡によって形成されている、先行する請求項のいずれか１項に記載の陳列台。
【請求項５】
前記各第１のパネル（７）は、前記品物が中に配置されるように構成されている、複数の凹部（７１）を有している、先行する請求項のいずれか１項に記載の陳列台。
【請求項６】
透明なプレート（９）が、前記各第１のパネル（７）に、前記複数の凹部（７１）内に配置された前記品物を覆うことができるように、揺動可能に取り付けられている、請求項５に記載の陳列台。
【請求項７】
前記第１のパネル（７）も反射面を有している、先行する請求項のいずれか１項に記載の陳列台。
【請求項８】
前記垂直板（１）は実質的に垂直方向に延び、前記第１のパネル（７）は下方に向けて傾いており、前記第２のパネル（８）は上方に向けて傾いている、先行する請求項のいずれか１項に記載の陳列台。
【発明の詳細な説明】
【技術分野】
【０００１】
本発明は、化粧品などの品物用の陳列台に関する。
【背景技術】
【０００２】
公知の陳列台は、一般に、下方に向けて傾いていても水平であってもよく、消費者に対して陳列すべき化粧品が上に配置される、平らな陳列面を有している。
【発明の開示】
【発明が解決しようとする課題】
【０００３】
しかし、このような陳列台、すなわち、より正確には平らな陳列面は、一般に、設置面上の跡が大きくなりすぎるのを避けるために、あまり大きな寸法にすることはできない。従って、公知の陳列台は、この点において、同一の台に陳列できる品物の数が制限される。
【０００４】
さらに、平らな陳列面は、概ね垂直に配置された鏡を載せていてもよい。しかし、この公知の構成では、人が、ある化粧品の色を彼または彼女の肌に、例えば彼または彼女の顔に塗ることの効果を確かめるのを望むならば、その人は、その化粧品の色をその人の肌の上に付与することによる推定される影響を、鏡での反射像によって目で見られるようにするために、化粧品を彼または彼女の顔の近くに移動させるためにそれを陳列台から取り出さなければならない。従って、この公知の陳列台の構成は、前記化粧品の色を肌の上に付与することによる推定される影響を評価するために、その化粧品を鏡に対向するように移動させるために、消費者に常に化粧品を手にすることを強いる。
【０００５】
本発明の目的は、特に、前記した問題点を緩和することである。
【課題を解決するための手段】
【０００６】
このために、本発明によると、陳列台が、複数の第１のパネルと第１のパネルに対して傾いている複数の第２のパネルとによって少なくとも部分的に形成された前面と、裏面とを有する垂直板を含み、第１および第２のパネルは垂直板と一体的に作られており、各第１のパネルは２つの第２のパネルの間に位置し、各第２のパネルは２つの第１のパネルの間に位置し、それによって、実質的に尾根状の起伏部を形成しており、第１のパネルは品物を収容するように構成されており、第１のパネルの１つと対向して配置された第２のパネルの少なくとも１つは、垂直板の方を向いている人が、直接、前記品物を見ることができるように、あるいは、当該第２のパネル上に、対向して配置された第１のパネルにて反射された前記品物の像を間接的に見ることができるように、反射面を有している、ことを特徴とする。
【０００７】
これらの構成によると、垂直板の前面を少なくとも部分的に形成する第１および第２のパネルが存在することによって、垂直板のみによって形成される、陳列台の設置面上の跡を小さくしながら、陳列する品物の数を実質的に増やすことが可能になる。
【０００８】
本発明の好ましい実施態様では、さらに、以下の構成のうちのいずれかを任意に有していてもよい。
−第２のパネルはそれぞれ反射面を有している。
−第１および第２のパネルは垂直板の前面の全幅に亘って延びている。
−各反射面は、対応する第２のパネルに直接取り付けられている平らな鏡によって形成されている。
−各第１のパネルは、品物が中に配置されるように構成されている、複数の凹部を有している。
−透明なプレートが、各第１のパネルに、複数の凹部内に配置された品物を覆うことができるように、揺動可能に取り付けられている。
−各第１のパネルも反射面を有している。
−垂直板は実質的に垂直方向に延び、第１のパネルは下方に向けて傾いており、第２のパネルは上方に向けて傾いている。
【０００９】
本発明のさらなる特徴および利点は、添付されている図面を参照し、非限定的な例として挙げられる一実施形態の以下の説明の中で明らかになるであろう。
【発明を実施するための最良の形態】
【００１０】
２つの図面において同じ符号は同じ部材を示している。
【００１１】
図１は、特に香水等の化粧品であってもよい複数の品物１０が取り付けられるように構成されている、陳列台１を示している。
【００１２】
この陳列台１は、設置面または任意の基台に直接置かれるように構成されている下端部３と、上端部２との間を垂直方向に延びている垂直板の形状を有している。陳列台１は、２つの側縁部６によって範囲が定められている裏面４および前面５も有している。垂直板１の前面５は、第１に、下方に向けて傾いていてもよく、または水平であって、従って垂直板の裏面４に対して９０度の角度をなしていてもよい、複数の第１のパネル７を有しており、第２に、上方に向けて傾いていてもよく、あるいは水平であってもよい、複数の第２のパネル８を有している。
【００１３】
ここで考慮する実施形態では、第１および第２のパネル７および８は陳列台の全幅にわたって延びている。しかし、前記第１および第２のパネル７および８が陳列台の幅の一部にのみ延びている構成を考察することも可能である。
【００１４】
各々の、下方に向けて傾いているパネル７は、２つの、上方に向けて傾いているパネル８の間に直接挟まれており、各々の、上方に向けて傾いているパネル８は、２つの、下方に向けて傾いているパネル７の間に直接挟まれている。各パネル７は、その真上のパネル８とともに、厳密に１８０度より小さく、概ね９０度と３０度の間の角度を形成している。従って、下方に向けて傾いているパネル７と上方に向けて傾いているパネル８は、垂直板１の前面５に、複数の、突出した部分と凹んだ部分からなる二平面部（projecting and reentrant dihedra）を形成し、それによって、実質的に尾根状の起伏部（relief substantially in the form of a crest）を形成している。
【００１５】
ここで考慮する実施形態では、各々の第１のパネル７は、第２のパネルに繋がった部分を形成している。しかし、対向して配置された第１および第２のパネル７，８の間に配置することができる垂直なパネルを作るようにすることも可能である。
【００１６】
図２により詳細に見られるように、パネル７は、消費者に対して陳列されるべき品物１０を収容するように構成されている。そのために、各々の、下方に向けて傾いている、または水平なパネル７には、内部に配置された品物を収容して保持するための複数の凹部が設けられてもよい。さらに、図２に示されているように、各パネル７には、一方の端部９ａが各パネル７の上部に揺動可能に取り付けられている、例えば透明な合成樹脂材料から作られたプレート９が設けられてもよい。この透明なプレート９は、品物を、対応する凹部７１内に置くことができ、また前記凹部７１から取り外すことができる開いた位置と、同一のパネル７に配置された全ての品物を覆うことができるが、それらを見ることを可能にする閉じた位置との間を揺動可能である。
【００１７】
さらに、第１のパネル７に直接対向して配置されている、各々の、上方に向けて傾いている、または水平なパネル８には、反射面８ａが設けられている。従って、所定の第２のパネル８の反射面８ａは、垂直板の前面５の方を向いている人が、第１のパネル７の真下に隣接して取り付けられた品物の像、すなわち反射像を直接見ることを可能にしている。
【００１８】
この反射面８ａは、各々の第２のパネル８に取り付けられている、ステンレス鋼などの被膜、またはその他の反射性の被膜によって形成されてもよい。また、この反射面８ａは、各々の第２のパネル８の全面に亘って延びている鏡によって形成されてもよい。さらに、第１のパネル７にも部分的に反射面が設けられてもよい。垂直板の前面５に、例えば上部に部分的に第１および第２のパネル７および８が設けられて、従って、下部は、反射面が設けられても設けられなくてもよい平坦な垂直面の形状のままであってもよい。
【００１９】
図１に示されている例では、垂直板の前面５の全体に、下方に向けて傾いている、または水平なパネル７と、上方に向けて傾いている、または水平なパネル８が設けられている。２つの側縁部６が垂直板１の上端部および下端部を形成するように、第１および第２のパネル７および８を垂直に配置することも可能である。
【図面の簡単な説明】
【００２０】
【図１】本発明による陳列台の斜視図である。
【図２】図１に示されている陳列台の形状を示す部分的な断面図である。
【図１】
2007536949.tif 000003
【図２】
2007536949.tif 000004
【手続補正書】
【提出日】平成17年12月16日(2005.12.16)
【手続補正１】
【補正対象書類名】特許請求の範囲
【補正対象項目名】全文
【補正方法】変更
【補正の内容】
【特許請求の範囲】
【請求項１】
複数の第１のパネル（７）と該第１のパネル（７）に対して傾いている複数の第２のパネル（８）とによって少なくとも部分的に形成された前面（５）と、裏面（４）とを有する垂直板（１）を含み、前記第１および第２のパネル（７，８）は前記垂直板（１）と一体的に作られており、
前記各第１のパネル（７）は２つの前記第２のパネル（８）の間に位置し、前記各第２のパネル（８）は複数の前記第１のパネル（７）の間に位置し、それによって、実質的に尾根状の起伏部を形成している、
化粧品などの品物用の陳列台において、
前記第１のパネル（７）と、前記第１のパネル（７）の１つに対向して配置され、反射面（８ａ）を有する少なくとも１つの前記第２のパネル（８）は、前記品物（１０）を受けて保持する収容および保持手段を含み、前記反射面（８ａ）は、前記垂直板（１）の方を向いている人が、直接、前記品物を見ることができるように、あるいは、当該第２のパネル（８）上に、対向して配置された前記第１のパネル（７）にて反射された前記品物の像を間接的に見ることができるように構成されている、
ことを特徴とする陳列台。
【請求項２】
前記第２のパネル（８）はそれぞれ前記反射面（８ａ）を有している、請求項１に記載の陳列台。
【請求項３】
前記第１および第２のパネル（７，８）は前記垂直板（１）の前記前面（５）の全幅に亘って延びている、請求項１または２に記載の陳列台。
【請求項４】
前記各反射面（８ａ）は、対応する前記第２のパネル（８）に直接取り付けられている平らな鏡によって形成されている、先行する請求項のいずれか１項に記載の陳列台。
【請求項５】
前記各第１のパネル（７）は、前記品物が中に配置されるように構成されている、複数の凹部（７１）を有している、先行する請求項のいずれか１項に記載の陳列台。
【請求項６】
透明なプレート（９）が、前記各第１のパネル（７）に、前記複数の凹部（７１）内に配置された前記品物を覆うことができるように、揺動可能に取り付けられている、請求項５に記載の陳列台。
【請求項７】
前記第１のパネル（７）も反射面を有している、先行する請求項のいずれか１項に記載の陳列台。
【請求項８】
前記垂直板（１）は実質的に垂直方向に延び、前記第１のパネル（７）は下方に向けて傾いており、前記第２のパネル（８）は上方に向けて傾いている、先行する請求項のいずれか１項に記載の陳列台。
【手続補正２】
【補正対象書類名】明細書
【補正対象項目名】０００４
【補正方法】変更
【補正の内容】
【０００４】
さらに、平らな陳列面は、概ね垂直に配置された鏡を載せていてもよい。しかし、この公知の構成では、人が、ある化粧品の色を彼または彼女の肌に、例えば彼または彼女の顔に塗ることの効果を確かめるのを望むならば、その人は、その化粧品の色をその人の肌の上に付与することによる推定される影響を、鏡での反射像によって目で見られるようにするために、化粧品を彼または彼女の顔の近くに移動させるためにそれを陳列台から取り出さなければならない。従って、この公知の陳列台の構成は、前記化粧品の色を肌の上に付与することによる推定される影響を評価するために、その化粧品を鏡に対向するように移動させるために、消費者に常に化粧品を手にすることを強いる。
米国特許第２１０９５８６号の文献には、複数の第１のパネルと第１のパネルに対して傾いている複数の第２のパネルとによって少なくとも部分的に形成された前面と、裏面とを有する垂直板であって、第１および第２のパネルは垂直板と一体的に作られており、各第１のパネルは２つの第２のパネルの間に位置し、各第２のパネルは２つの第１のパネルの間に位置し、それによって、実質的に尾根状の起伏部を形成している、垂直板が記載されている。
しかし、米国特許第２１０９５８６号の文献の陳列台は、いずれも反射性である第１および第２のパネルの間に配置された品物を支持する透明な出っ張り部（ledges）を含み、従って、消費者が品物の上面（この上面は消費者によって色を見られる化粧品を保持するものである）と、（消費者が興味を持たない）品物の下面の両方を見るという欠点を有している。その結果、消費者に対して商品を不明瞭に陳列することになる。
【手続補正３】
【補正対象書類名】明細書
【補正対象項目名】０００５
【補正方法】変更
【補正の内容】
【０００５】
本発明の目的は、特に、この欠点を緩和することである。
【手続補正４】
【補正対象書類名】明細書
【補正対象項目名】０００６
【補正方法】変更
【補正の内容】
【０００６】
このために、本発明によると、ここで問題にしている種類の陳列台が、第１のパネルと、第１のパネルの１つに対向して配置され、反射面を有する少なくとも１つの第２のパネルは、前記品物を受けて保持する収容および保持手段を含み、前記反射面は、垂直板の方を向いている人が、直接、前記品物を見ることができるように、あるいは、当該第２のパネル上に、対向して配置された第１のパネルにて反射された前記品物の像を間接的に見ることができるように構成されている、ことを特徴とする。
【手続補正５】
【補正対象書類名】明細書
【補正対象項目名】０００７
【補正方法】削除
【補正の内容】
【国際調査報告】
2007536949.tif 000005
2007536949.tif 000006
2007536949.tif 000007
2007536949.tif 000008